(57)【要約】【課題】  吸殻回収器の効率的な清掃を可能にする自動吸殻回収装置の蓄積量報知装置を提供する。【解決手段】  パチンコ遊技機１に設置される自動吸殻回収装置において、自動的に回収される吸殻等の蓄積量を報知する装置に関する。水４１を入れた吸殻回収タンク３９に、蓄積量検知部４３を設ける。蓄積量検知部４３は、水面上昇（即ち吸殻蓄積量）を水に浮くフロートの上昇で判断する方法、フロートの下降で吸殻蓄積量を判断する方法、或いはフォトセンサで吸殻蓄積量を判断する方法等がある。吸殻蓄積量が設定量に達すると、回収装置表示器２３（報知部４７）のＬＥＤやランプを点灯させて、吸殻回収タンク３９の清掃を行うタイミングを報知する。【選択図】  図２
2005230039.tif 000002
【特許請求の範囲】
【請求項１】
遊技機の底部に溜まる吸殻等を、吸殻回収器に搬送する搬送手段を備える自動吸殻回収装置において、
前記吸殻回収器内の回収吸殻量が所定量に達すると検出信号を発する検出手段と、
前記検出手段から前記検出信号が送られると報知を行う報知手段と、
を、具備することを特徴とする自動吸殻回収装置の蓄積量報知装置。
【請求項２】
前記検出手段は、
前記吸殻回収器の内部の所定の位置に設けたフロートと、
前記吸殻等の蓄積に伴い、前記フロートが移動して所定の検出位置に達したときに作動するスイッチと、
を、具備することを特徴とする請求項１記載の自動吸殻回収装置の蓄積量報知装置。
【請求項３】
前記検出手段は、前記吸殻回収器に設けるフォトセンサであることを特徴とする請求項１記載の自動吸殻回収装置の蓄積量報知装置。
【請求項４】
前記報知手段は、前記検出手段からの前記検出信号を検知すると、前記吸殻回収器に所定量の吸殻が蓄積されたことを表示器に表示することを特徴とする請求項２又は請求項３記載の自動吸殻回収装置の蓄積量報知装置。
【請求項５】
前記報知手段は、前記検出手段からの前記検出信号を検知すると、外部回路を駆動する制御信号を出力することを特徴とする請求項２又は請求項３記載の自動吸殻回収装置の蓄積量報知装置。
【請求項６】
前記報知手段は、前記検出信号の入力を安定化させる入力安定回路を具備することを特徴とする請求項４又は請求項５記載の自動吸殻回収装置の蓄積量報知装置。
【請求項７】
前記報知手段は、更に初期化回路を具備し、
前記検出手段からの前記検出信号が遮断され、前記初期化回路から初期化信号が入力されると、前記表示器の表示を消灯することを特徴とする請求項４記載の自動吸殻回収装置の蓄積量報知装置。
【請求項８】
前記報知手段は、更に初期化回路を具備し、
前記検出手段からの前記検出信号が遮断され、前記初期化回路から初期化信号が入力されると、前記制御信号を停止することを特徴とする請求項５記載の自動吸殻回収装置の蓄積量報知装置。
【発明の詳細な説明】
【技術分野】
【０００１】
本発明は、遊技場における自動吸殻回収装置内の吸殻回収量が所定量に達したことを報知する装置に関するものである。
【背景技術】
【０００２】
従来、パチンコ遊技場等の遊技場において、遊技者が吸ったタバコの吸殻は、自動吸殻回収装置で自動的に回収される。自動吸殻回収装置とは、玉置台スペースに設けられた灰皿に捨てられた吸殻や灰などを、へらが取り付けられたチェーンをモータ等で回転させることにより、自動的に台の端まで送り吸殻回収器に収集して回収する装置である。
【０００３】
自動吸殻回収装置を設置することにより、水の入った吸殻回収器に吸殻や灰等が収集されて完全に消火されるため、吸殻からの煙や臭い等が解消され、古い吸殻への燃え移り等が防止される。また、パチンコ台個別の吸殻回収、灰皿清掃などの手間が省かれ、省労働力化も図られている（例えば特許文献１参照）。
【特許文献１】特開平６−１１４１５９号公報
【発明の開示】
【発明が解決しようとする課題】
【０００４】
しかしながら、従来は遊技場の従業員が吸殻の回収量に関わらず定期的に、或いは不定期に吸殻回収量を見て自動吸殻回収装置の吸殻回収器を清掃していた。従って、吸殻回収器に殆ど吸殻が蓄積されていなくても清掃する場合もあれば、吸殻等が一杯になりもっと早めの清掃が必要な場合もあった。
【０００５】
本発明で、解決しようとする問題点は、吸殻回収器の清掃のタイミングが判断できないことである。
【０００６】
本発明は、このような問題を鑑みてなされたもので、その目的とするところは、吸殻回収器の効率的な清掃を可能にする自動吸殻回収装置の蓄積量報知装置を提供することである。
【課題を解決するための手段】
【０００７】
前述した目的を達成するための本発明は、遊技機の底部に溜まる吸殻等を、吸殻回収器に搬送する搬送手段を備える自動吸殻回収装置において、前記吸殻回収器内の回収吸殻量が所定量に達すると検出信号を発する検出手段と、前記検出手段から前記検出信号が送られると報知を行う報知手段とを、具備することを特徴とする自動吸殻回収装置の蓄積量報知装置である。
【０００８】
前記検出手段は、前記吸殻回収器の内部の所定の位置に設けたフロートと、前記吸殻等の蓄積に伴い、前記フロートが移動して所定の検出位置に達したときに作動するスイッチとを、具備する。又は、前記検出手段は、前記吸殻回収器に設けるフォトセンサである。
【０００９】
前記報知手段は、前記検出手段からの前記検出信号を検知すると、前記吸殻回収器に所定量の吸殻が蓄積されたことを表示器に表示する。
又は前記報知手段は、前記検出手段からの前記検出信号を検知すると、外部回路を駆動する制御信号を出力する。
【００１０】
前記報知手段は、前記検出信号の入力を安定化させる入力安定回路を具備する。
【００１１】
前記報知手段は、更に初期化回路を具備し、前記検出手段からの前記検出信号が遮断され、前記初期化回路から初期化信号が入力されると、前記表示器の表示を消灯又は、前記制御信号を停止する。
【００１２】
吸殻回収器は、その内部に水がセットされ、搬送される吸殻等が水面に投下される。吸殻等が溜まり、水面が上昇して水面高が所定値に達すると、検知手段が検知する。又は、吸殻等が溜まり、蓄積量が所定量に達すると、検知手段が検知する。又は、水面上に蓄積された吸殻等が所定の高さに達すると、検知手段が検知する。
【００１３】
フロートは、水面に浮くピンポン玉やプラスチック玉のようなもので、吸殻回収器内の水面の上昇、又は水面上に蓄積されていく吸殻等と共に上昇し、設定された位置に達するとスイッチを作動させる。スイッチは、例えばマイクロスイッチ等であり、フロートの位置が上昇し、所定の検出位置に達するとマイクロスイッチが導通する。
又は、板状のフロート（以下フロート板と称する）を吸殻回収器内の水面又は水中に吊り下げてセットする。吸殻等がフロート板上に蓄積していき、その重量でフロート板が下降して設定された位置に達するとスイッチを作動させる。スイッチは、例えばマイクロスイッチ等であり、フロート板が下降して所定の検出位置に達するとマイクロスイッチが導通する。
【００１４】
また、フォトセンサは、吸殻等が溜まり水面が上昇して水面高が所定の位置に達すること、又は吸殻等が水面上に積載され吸殻等の蓄積量が所定の位置に達することを検出する。
【００１５】
入力安定化回路は、吸殻等の蓄積量が検出位置すれすれの場合に、検出信号が出力されたりしなかったりのチャタリングを起こす場合があり、これを防止するための回路である。
報知手段は、ＬＥＤ表示器やランプなどの表示装置、或いは他の報知手段（呼び出しランプや代表灯等）を制御する信号出力部である。
【００１６】
本発明による自動吸殻回収装置の蓄積量報知装置は、遊技機の底部に溜まる吸殻等を自動的に搬送して水のセットされた吸殻回収器に蓄積し、吸殻回収器の水面上昇を検出して自動吸殻回収装置内の吸殻回収量が所定量に達したことを、表示器等に表示して報知する。
【発明の効果】
【００１７】
本発明によれば、吸殻回収器の効率的な清掃を可能にする自動吸殻回収装置の蓄積量報知装置を提供することができる。
【発明を実施するための最良の形態】
【００１８】
以下に、図面に基づいて本発明の実施の形態を詳細に説明する。図１は、本実施の形態に係るパチンコ遊技機１の構成を示す図である。
【００１９】
（１．構成）
（１−１．パチンコ遊技機１の構成）
パチンコ遊技機１は、複数のパチンコ機３が横方向に並べられて設置されたものである。
【００２０】
各パチンコ機３には、各種の表示を行う表示器５、パチンコ遊技を行う盤面７、パチンコ球を操作するハンドル９、パチンコ球を受ける受皿１１が設けられる。遊技者は、ハンドル９を操作して盤面７上でパチンコ遊技を行う。
【００２１】
パチンコ遊技機１には複数のパチンコ機３を載せる台１９が設けられ、台１９の上には膳板１５が設けられる。複数のパチンコ機３は、膳板１５の上部に横に並べて設置される。膳板１５の前部は、通常パチンコ玉を入れる箱を置く玉置台として使用される。
【００２２】
膳板１５には、パチンコ機３に向かって左側に灰皿１３が埋め込まれるように設けられる。灰皿１３は、底部に複数個の穴が設けられ、灰皿１３に捨てた吸殻等は、膳板１５の下部に設けられた吸殻回収装置１７の内部に落ちる。
【００２３】
吸殻回収装置１７は、膳板１５の裏側に固定され、膳板１５に設けられた灰皿１３から落ちた吸殻等を回収する。
【００２４】
吸殻回収装置１７の端部（図１では右端）、即ちパチンコ遊技機１の台１９の右端には、タンクケース２１が設けられる。タンクケース２１には、内部に吸殻等を回収する容器等が収納されており、吸殻回収装置１７によって搬送されてきた吸殻等が集められ、回収される。
【００２５】
また、パチンコ遊技機１には、回収装置表示器２３が設けられ、タンクケース２１内の吸殻等の蓄積量が所定量に達すると、回収装置表示器２３内のＬＥＤやランプ等を点灯させる。リセット部４９は例えば押しボタンスイッチであり、回収装置表示器２３の表示を消灯する。
【００２６】
（１−２．吸殻回収装置１７の構成）
次に、吸殻回収装置１７の詳細な説明を行う。図２は吸殻回収装置１７の構成図である。吸殻回収装置１７は、膳板１５、背板３５をカバーで覆った箱体の内部に、スプロケット２５やチェーン２９等を設けて構成される。
【００２７】
吸殻回収装置１７は、背板３５の前部にレール２７−１、２７−２、スプロケット２５−１、２５−２、２５−３、２５−４等が設けられる。膳板１５には、穴が設けられて穴には灰皿１３が埋め込まれるように設けられる。
【００２８】
チェーン２９は、スプロケット２５−１、２５−２、２５−３、２５−４の外側に巻かれる。
【００２９】
スプロケット２５−２は、背板３５の裏側に設けられたモータ（図示せず）に接続される。モータによりスプロケット２５−２が回転すると、チェーン２９が回転して方向Ａに移動し、他のスプロケット２５−１、２５−３、２５−４も連動して回転する。
【００３０】
チェーン２９には複数のへら３１がばね３３等を介して取り付けられる。へら３１は、灰皿１３から落ちて底部に溜まった吸殻等を、吸殻回収装置１７の右端に移動させるために設けられる。
【００３１】
へら３１は、耐熱性ゴム等の素材からなり、吸殻回収装置１７のカバーの底部および側部と密着するような形状を有する。へら３１は吸殻等を掻き残しのないように移動させることができる。
【００３２】
背板３５には、レール２７−１、２７−２が背板３５と垂直に固定して設けられる。チェーン２９は、レール２７−１、２７−２に接触しつつ走行する。
【００３３】
スプロケット２５−１の取り付け部は、説明は省略するが、チェーン２９のたるみ等を防止する機能を有する。また、スプロケット２５−２の下部ではチェーン２９が通過する際に潤滑油３７がチェーン２９に自動的に供給される。
【００３４】
スプロケット２５−１、２５−２、２５−３の下方には、タンクケース２１が設けられる。タンクケース２１の内部には、蓋のない箱状の吸殻回収タンク３９が設けられる。吸殻回収タンク３９には、内部に適量の水４１を入れて設置する。吸殻回収タンク３９には、内部に入れる水４１の水位の目安がわかるように、目印を付けるようにしてもよい。
【００３５】
吸殻回収タンク３９は、チェーン２９が方向Ａに移動することにより、へら３１によって運ばれた吸殻や灰等を吸殻回収タンク３９の中に落下させて回収する。吸殻回収タンク３９の内部には水４１が満たされているので、火が完全に消えていない吸殻や灰等も安全に消化することができる。
【００３６】
また、吸殻回収タンク３９には、吸殻等の蓄積量が所定量に達したことを検知する蓄積量検知部４３が設けられる。蓄積量検知部４３や検知方法等については後で詳細に説明する。
【００３７】
吸殻等の蓄積量が所定量に達したことが検知されると、パチンコ機３に設置される回収装置表示器２３が点灯し、吸殻回収タンク３９の清掃タイミングを報知する。遊技場の従業員は、回収装置表示器２３を見て、吸殻回収タンク３９を清掃する。従業員は、リセット部４９のスイッチを押して、回収装置表示器２３を消灯する。
【００３８】
回収装置表示器２３は、内部のＬＥＤやランプ等が点灯して吸殻回収タンク３９の清掃タイミングを報知する。
【００３９】
（２．蓄積量検知・報知回路）
図３は、吸殻回収タンク３９内の吸殻等の蓄積量検知及び報知を行う回路の概略構成を示す図である。吸殻等の蓄積量検知及び報知を行う回路は、蓄積量検知部４３、チャタリング防止部４５、報知部４７、リセット部４９等で構成される。
【００４０】
吸殻回収タンク３９に吸殻等が無い状態、或いは吸殻蓄積量が少ない状態では、蓄積量検知部４３出力（即ちチャタリング防止部４５入力）である端子５１はＨレベル（電源電圧レベルＶｃｃ）を保つ。この際、チャタリング防止部４５出力（即ち報知部４７入力）である端子５３は、Ｈレベルを保つ。またリセット部４９の出力である端子６３は通常状態ではＬレベルを保つ。以降、Ｈレベルは電源電圧レベルＶｃｃのこと、Ｌレベルは接地状態を示すものとする。
【００４１】
蓄積量検知部４３は、図２に示す吸殻回収タンク３９に設けられ、吸殻等が蓄積されて水面高或いは水面上に蓄積された吸殻等が設定する位置に達すると、スイッチ４４（図３）がＯＮとなり、端子５１をＬレベルにする。蓄積量検知部４３の吸殻等の蓄積量検知方法は後で図４〜図１０を用いて説明する。
【００４２】
チャタリング防止部４５は、例えば吸殻等の蓄積量が検知の臨界点にあり吸殻回収タンク３９の蓄積量検知部４３の出力がＯＮ、ＯＦＦ繰り返すような不安定な状態にある場合でも、報知部４７への入力端子５３をＨレベルに保ち、吸殻等の蓄積量が検知レベルを超え、蓄積量検知部４３の出力が常時安定してＯＮとなって初めて報知部４７への入力端子５３をＬレベルにする。
【００４３】
報知部４７は、例えばＤフリップフロップ５５、トランジスタ５７、ＬＥＤ５９等を備える。報知部４７は、吸殻回収タンク３９の吸殻等が設定する蓄積量に達すると、例えば図１に示す回収装置表示器２３の内部に設けるＬＥＤ５９を点灯させる。尚、回収装置表示器２３は、内部にＬＥＤ５９ではなくランプ等を設けて点灯させても良い。
【００４４】
報知部４７は、吸殻等が設定する蓄積量に達した場合に立ち上がる信号（端子５３がＬレベルになる）が、Ｄフリップフロップ５５のＣＬ端子に入ると、Ｄ端子に供給されている電圧（Ｖｃｃ）がＱ端子から出力される。続いてトランジスタ５７がＯＮとなり、ＬＥＤ５９が点灯する。
【００４５】
リセット部４９は、前述のＤフリップフロップ５５をリセットする回路である。即ち、吸殻回収タンク３９の清掃が終了し、端子５３がＨレベルに戻った場合、リセットスイッチ６１が押されると、リセット部４９の端子６３からリセット信号がＤフリップフロップ５５のＲ端子に入力される。続いて、Ｄフリップフロップ５５のＱ端子がＬレベルに戻り、ＬＥＤ５９が消灯する。
【００４６】
（３．第１の吸殻蓄積量検知手段）
（３−１．第１の吸殻蓄積量検知手段の構造）
図４及び図５は、第１の吸殻蓄積量検知手段の構造に関する図である。図４（ａ）は、吸殻６９等の蓄積量が検出位置にまだ達していない状態を示す。図４（ｂ）は、吸殻６９等が蓄積され水面高が検出位置に達した状態を示す。図４（ｃ）は、吸殻６９等が蓄積され、水面に蓄積された吸殻等が検出位置に達した状態を示す。
【００４７】
図４に示す吸殻蓄積量検知手段は、吸殻回収タンク３９の内部に設置される。即ち、吸殻回収タンク３９の内部に基台６８が取り付けられ、基台６８に取り付けられたロッド７２に吊コード７０を介してフロート６５が吊るされる。フロート６５は、ピンポン玉やプラスチック玉のように水に浮く材料からなる。また、フロート６５は、センシングライン６７（吸殻６９等の蓄積量検出位置）付近に設ける。尚、吊りコード７０はチェーンなどを用いてもよい。また、吊りコード７０やフロート６５は、吸殻等に対する耐熱性・耐火性を有する材料を使用する。
【００４８】
図６は、第１の吸殻蓄積量検知工程を示すフローチャートである。図４、図５とともに説明する。吸殻６９等が蓄積されていない状態では、フロート６５の位置は吸殻回収タンク３９に入れる水４１の上面よりも上方にある。即ち水面位置がセンシングライン６７に達していない（ステップ１００１のＮＯ）。この時フロート６５の重みでロッド７２が下方に引かれ、アクチュエータ７１の作動を押さえている（ステップ１００２）。
【００４９】
尚、基台６８とロッド７２の間には、ばね７３が設けられ、ばね７３は常にロッド７２を押し上げるように働く。図４（ａ）の場合は、フロート６５の重みがロッド７２を押し下げる力のほうが、ばね７３がロッド７２を押し上げる力に勝るので、アクチュエータ７１は作動しない。
【００５０】
尚、アクチュエータ７１は、図５（ａ）に示すマイクロスイッチ７５の構成部品であり、ここではアクチュエータ７１が押された状態で端子７９は常時開放されている（ステップ１００３）。即ち、吸殻６９等が蓄積されていない状態では、図３の蓄積量検知部４３においてスイッチ４４は開放状態にあり、端子５１はＨレベル（電圧Ｖｃｃ）を示す。
【００５１】
吸殻６９等が蓄積され、水面がセンシングライン６７まで上昇し（ステップ１００１のＹＥＳ）、フロート６５が着水するとフロート６５が持ち上げられる。この時、図４（ｂ）に示すように、ばね７３がロッド７２を押し上げる力が、フロート６５の重みがロッド７２を引く力に勝り、ロッド７２が上昇する（ステップ１００４）。ロッド７２が上昇するとともにアクチュエータ７１が作動する（ステップ１００５）。尚、図４（ｃ）のように、水面がセンシングライン６７に達する前に、水面上に蓄積した吸殻等がセンシングライン６７に達しフロート６５が持ち上げられる場合もある。
【００５２】
即ち、図５（ｂ）に示すように、マイクロスイッチ７５のアクチュエータ７１が作動状態になり、スイッチ７６が閉となって端子７９がアース端子７７に接続される（ステップ１００６）。即ち、吸殻蓄積量が設定量に達すると、図３の蓄積量検知部４３において、スイッチ４４が閉となり、端子５１がＬレベルになる。
【００５３】
尚、ここで説明するマイクロスイッチ７５の作動ロジックは、アクチュエータ７１が押されている時に端子が開放し、アクチュエータ７１が開放されたときに端子が短絡するものであるが、逆に吸殻蓄積量が設定量に達するとロッド７２がアクチュエータ７１を押し縮める検出機構とし、図５とは逆の作動ロジックを有するマイクロスイッチ７５を用いても良い。
【００５４】
図７は、板状のフロート（フロート板７４）を用いた吸殻蓄積量検知手段の実施例を示す図である。図７（ａ）は吸殻等の未回収状態を示す。プラスチック等からなるフロート板７４を吸殻回収タンク３９の水面又は水中に吊コード７０で吊るしてセットする。尚、水中にセットするフロート板７４の場合は、フロート板７４は水に浮かない材質である。基台６８、ロッド７２、ばね７３、アクチュエータ７１等は図４で説明したものと同様であるので説明を省略するが、図７（ａ）のように吸殻等の未回収状態ではフロート板７４がロッド７２を引く力よりも、ばね７３がロッド７２を押し上げる力が勝り、アクチュエータ７１は開放されている。このとき、図３のスイッチ４４として用いるマイクロスイッチ７５はＯＦＦ状態である。
【００５５】
図７（ｂ）は、吸殻等がフロート板７４上に蓄積されていき、吸殻等の重量が所定値に達した場合を示す。即ち、吸殻等が所定量に達して、フロート板７４がロッド７２を引く力が、ばね７３がロッド７２を押し上げる力に勝り、アクチュエータ７１は押し縮められる。このときマイクロスイッチ７５（即ち図３のスイッチ４４）はＯＮになる。尚、図７で用いるマイクロスイッチ７５は、図５で説明したマイクロスイッチ７５とは逆の作動ロジックである。また、吸殻回収タンク３９には、内部に入れる水４１の水位の目安がわかるように目印が付けられる。
【００５６】
（３−２．第２の蓄積量検知手段の構造）
図８は、第２の蓄積量検知手段の構造に関する図である。図８（ａ）は、吸殻６９等の蓄積量が検出位置に達していない状態を示す。図８（ｂ）は、吸殻６９等の蓄積量が検出位置に達した状態を示す。
【００５７】
図８に示す蓄積量検知手段は、吸殻回収タンク３９の内部に設置される。即ち、吸殻回収タンク３９の内部のセンシングライン８１（吸殻６９等の蓄積量検出位置）にフォトセンサ８３−１、８３−２を設置する。フォトセンサ８３−１、８３−２は吸殻回収タンク３９の内部の対面の位置に設置する。
【００５８】
図９は、フォトセンサ８３−１、８３−２の構造を示す図である。フォトセンサ８３−１は、赤外線等を出力する発光ダイオード８５を備え、フォトセンサ８３−２は、赤外線等を受光して導通するフォトトランジスタ８７を備える。即ちフォトセンサ８３−２は、発光ダイオード８５からの出力光を受光している間はＯＮ状態にあり、フォトセンサ８３−１、８３−２間が吸殻６９等で遮られると、フォトトランジスタ８７がＯＦＦとなる。
【００５９】
図１０は、第２の蓄積量検知工程を示すフローチャートである。図８、図９とあわせて説明する。
【００６０】
吸殻回収タンク３９内の吸殻６９等がセンシングライン８１に達していない場合（ステップ１５０１のＮＯ）、フォトセンサ８３−２のフォトトランジスタ８７は、発光ダイオード８５からの出力光を受光しているのでＯＮ状態にある。
【００６１】
このとき図９のようにフォトトランジスタ８７のコレクタに接続されるスイッチ４４（例えばトランジスタをスイッチとして用いている）は、ＯＦＦであるので、端子５１（図３参照）は開放状態である（ステップ１５０２）。即ち、第２の蓄積量検知手段では、フォトトランジスタ８７の後段のスイッチ４４（例えばトランジスタ）を蓄積量検知部４３（図３）としている。
【００６２】
吸殻回収タンク３９内に吸殻６９等が蓄積されていき、吸殻６９等がセンシングライン８１に達すると（ステップ１５０１のＹＥＳ）、フォトセンサ８３−１の発光ダイオード８５の出力光が吸殻６９等に遮られてフォトトランジスタ８７がＯＦＦになる。即ちフォトトランジスタ８７のコレクタがＨレベルになるのでスイッチ４４がＯＮになり端子５１はＬレベルになる（ステップ１５０３）。即ち、吸殻６９等がセンシングライン８１に達すると図３の蓄積量検知部４３のスイッチ４４がＯＮになる。
【００６３】
尚、吸殻回収タンク３９の内部の一方に発光ダイオード８５とフォトトランジスタ８７の両方を有するフォトセンサ８３を設置してもよい。この場合、発光ダイオード８５から出力される赤外線を、吸殻６９等に反射した反射光をフォトトランジスタ８７が受光してフォトトランジスタ８７はＯＮとなる。この場合は、フォトトランジスタ８７をそのまま図３の蓄積量検知部４３のスイッチ４４として用いる。即ち、吸殻６９等がセンシングライン８１に達すると、図３の蓄積量検知部４３のスイッチ４４がＯＮとなり、端子５１がＬレベルになる。
【００６４】
（４．吸殻蓄積量報知工程）
図１１は、図３の蓄積量報知装置が吸殻蓄積量を報知する工程を示すフローチャートである。図３とあわせて説明する。
【００６５】
ステップ２００１は、蓄積量検知部４３における工程である。吸殻回収装置１７が吸殻回収タンク３９に吸殻６９等を蓄積していき、吸殻６９や水面位置がセンシングラインに達する（ステップ２００２）。即ち前述の第１の蓄積量検知手段では、水面、又は水面上に蓄積された吸殻等がフロート６５の位置に達する。また、第２の蓄積量検知手段では吸殻６９や水面位置がセンシングラインに達し、フォトセンサ８３−２のフォトトランジスタ８７がＯＦＦになる。
【００６６】
次に、蓄積量検知部４３のスイッチ４４がＯＮになる（ステップ２００３）。即ち第１の蓄積量検知手段ではマイクロスイッチ７５が作動し、第２の蓄積量検知手段ではフォトトランジスタ８７後段のトランジスタ等（スイッチ４４）がＯＮになる。
【００６７】
次のステップ２００４はチャタリング防止部４５における工程である。蓄積量検知部４３のスイッチ４４がＯＮになると、Ｈレベルであった端子５１がＬレベルになる（ステップ２００５）。
【００６８】
詳細な回路の説明は省略するが、チャタリング防止部４５は入力信号とその遅延信号をアンド回路に入力することにより、端子５１が安定してＬレベルになって初めてチャタリング防止部４５の出力（端子５３）がＬレベルになる（ステップ２００６）。
【００６９】
次のステップ２００７は、報知部４７における工程である。吸殻等が設定する蓄積量に達し、端子５３がＬレベルになると、Ｄフリップフロップ５５のＣＬ端子にＨレベルの信号が供給される（ステップ２００８）。ＣＬ端子がＨレベルに立ち上がると同時に、Ｄ端子に供給されている電圧（Ｖｃｃ）がＱ端子から出力される（ステップ２００９）。
【００７０】
Ｑ端子がＨレベルになるとトランジスタ５７がＯＮとなり、ＬＥＤ５９が点灯する（ステップ２０１０）。
【００７１】
（５．吸殻蓄積量報知装置のリセット工程）
図１２は、図３の蓄積量報知装置のリセット工程を示すフローチャートである。図３とあわせて説明する。
【００７２】
ステップ２５０１は、リセット部４９における工程である。回収装置表示器２３が点灯すると、遊技場の従業員等が吸殻回収タンク３９の清掃を行い、規定量の水４１を吸殻回収タンク３９に入れて再びセットする。また、従業員がリセット部４９のリセットスイッチ６１を押す（ステップ２５０２）。
【００７３】
リセット部４９の端子６３からリセットパルスが出力される（ステップ２５０３）。尚、リセットスイッチ６１が押された際に、単発パルスが出力され、リセットスイッチ６１は再びＯＦＦ状態に戻る。
【００７４】
次のステップ２５０４は、報知部４７のリセット処理工程である。リセット部４９からのリセットパルスが端子６３から出力され、Ｄフリップフロップ５５のＲ端子に入力される（ステップ２５０５）。
【００７５】
Ｄフリップフロップ５５がリセットされ、出力のＱ端子がＬレベルになる（ステップ２５０６）。続いて、トランジスタ５７がＯＦＦし、ＬＥＤ５９（回収装置表示器２３）が消灯する（ステップ２５０７）。
【００７６】
（６．他の実施例）
（６−１．報知部４７）
図３に示す報知部４７は、内部のＬＥＤ５９を点灯させるものであったが、図１３は報知部４７の他の実施例を示したものである。図１３に示す報知部４７は、呼び出しランプや代表灯等（図示していない）の外部報知手段を作動させる信号を出力する回路である。
【００７７】
図１３に示す報知部４７のトランジスタ５７の前段は、図３と同様であるので回路及び動作の説明は省略する。吸殻等が設定する蓄積量に達すると、トランジスタ５７がＯＮになり、回路８９が導通する。回路８９が導通すると、スイッチ９１−１が端子９３−１から９５−１へ、スイッチ９１−２が端子９３−２から９５−２へ切り替わり、出力部９７−１、９７−２から信号が出力される。この出力信号が、呼び出しランプや代表灯等の外部報知手段に出力され、外部報知手段を作動させる。尚、出力部９７−１、９７−２は単数であっても良く、数は限定されない。
【００７８】
（６−２．その他）
吸殻回収タンク３９の吸殻蓄積量を検知し、回収装置表示器２３に表示する機能を持つ回路であれば、本実施の形態で説明した図３の自動吸殻回収装置の蓄積量報知装置の回路構成に限定されない。
【００７９】
また、本実施の形態では、パチンコ遊技機１に吸殻蓄積量を報知する回収装置報知器２３を設けたが、例えばパチンコ遊技機１すべての状態を管理する管理室に、吸殻回収装置１７毎の吸殻回収タンク３９の蓄積量報知手段（ＬＥＤやランプなど）を設けてもよい。
【００８０】
また、特に回収装置報知器２３を設けず、パチンコ機３の盤面７上部に設置されている表示器５に、そのパチンコ遊技機１の吸殻蓄積量を表示させるようにしても良い。
【００８１】
（７．効果等）
このように、本実施の形態では、自動吸殻回収装置の吸殻回収器の吸殻蓄積量が検知され報知されるので、吸殻回収器の効率的な清掃が可能になる。
【００８２】
また、吸殻回収器の効率的な清掃が可能なので、吸殻回収器のメンテナンスにかけるコストを削減できる効果がある。
【００８３】
また、遊技場従業員の吸殻回収器を清掃する作業の負担を軽減することができる。
【００８４】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８５】
【図１】パチンコ遊技機１の構成を示す図
【図２】吸殻回収装置１７の構成を示す図
【図３】自動吸殻回収装置の蓄積量報知装置の回路図
【図４】第１の蓄積量検知手段を示す図
【図５】マイクロスイッチ７５の構造を示す図
【図６】蓄積量検出工程を示すフローチャート
【図７】別の実施の形態の蓄積量検知手段を示す図
【図８】第２の蓄積量検知手段を示す図
【図９】フォトセンサ８３による蓄積量検出を示す図
【図１０】フォトセンサ８３による蓄積量検出工程を示すフローチャート
【図１１】吸殻蓄積量報知工程を示すフローチャート
【図１２】吸殻蓄積量報知装置のリセットを示すフローチャート
【図１３】別の実施の形態の報知部４７を示す回路部
【符号の説明】
【００８６】
１………パチンコ遊技機
３………パチンコ機
５………表示器
７………盤面
９………ハンドル
１１………受皿
１３………灰皿
１５………膳板
１７………吸殻回収装置
１９………台
２１………タンクケース
２３………回収装置表示器
２５−１、２５−２、２５−３、２５−４………スプロケット
２７−１、２７−２………レール
２９………チェーン
３１………へら
３３………ばね
３５………背板
３７………潤滑油
３９………吸殻回収タンク
４１………水
４３………蓄積量検知部
４４、９１−１、９１−２………スイッチ
４５………チャタリング防止部
４７………報知部
４９………リセット部
５１、５３、６３、７９、９３−１、９３−２、９５−１、９５−２………端子
５５………Ｄフリップフロップ
５７………トランジスタ
５９………ＬＥＤ
６１………リセットスイッチ
６５………フロート
６７、８１………センシングライン
６８………基台
６９………吸殻
７０………吊コード
７１………アクチュエータ
７２………ロッド
７３………ばね
７４………フロート板
７５………マイクロスイッチ
７７………アース端子
８３−１、８３−２………フォトセンサ
８５………発光ダイオード
８７………フォトトランジスタ
８９………回路
９７−１、９７−２………出力部
【図１】
2005230039.tif 000003
【図２】
2005230039.tif 000004
【図３】
2005230039.tif 000005
【図４】
2005230039.tif 000006
【図５】
2005230039.tif 000007
【図６】
2005230039.tif 000008
【図７】
2005230039.tif 000009
【図８】
2005230039.tif 000010
【図９】
2005230039.tif 000011
【図１０】
2005230039.tif 000012
【図１１】
2005230039.tif 000013
【図１２】
2005230039.tif 000014
【図１３】
2005230039.tif 000015